(57)【要約】【課題】デジタルスチルカメラ等の撮像装置１００において、連写動作時に必要となる電力を、新たなバッテリを設けることなく供給する。【解決手段】撮像装置１００は、モード操作受付部３００によってモード操作入力を受け付ける。そのモード操作入力が単写モードである時、コンデンサ１８０には、バッテリ部１７０によって電源電圧を印加されて、ストロボ２２０において使用される電力が蓄積される。電力切替部１９０は、コンデンサ１８０からの電力を、モード操作入力に基づいてストロボ２２０または撮像信号転送部１４０側に切り替える。すなわち、電力切替部１９０は、単写モード時には、ストロボ２２０に電力を供給するよう切り替え、連写モード時には、撮像信号転送部１４０に連写動作時に必要となる電力をＤＣ−ＤＣコンバータ２００を介して供給するよう切り替える。【選択図】図１
2008131368.tif 000002
【特許請求の範囲】
【請求項１】
被写体に光を照射するストロボと、
撮像された前記被写体の撮像信号を画像メモリに対してクロック信号に同期して転送する撮像信号転送手段と、
前記撮像信号の転送に関する所定のモードの操作入力を受け付けるモード操作受付手段と、
電力を蓄積するコンデンサと、
前記コンデンサに蓄積された電力を前記ストロボまたは前記撮像信号転送手段の何れかに前記所定のモードに基づいて切り替える電力切替手段と、
前記電力切替手段による電力の切替に連動して前記撮像信号転送手段の前記クロック信号を制御するクロック制御手段と
を具備することを特徴とする撮像制御装置。
【請求項２】
前記所定のモードは、前記撮像を１回ずつ行う単写モードまたは前記撮像を連続して行う連写モードの何れかであり、
前記電力切替手段は、前記所定のモードが前記単写モードであれば前記電力を前記ストロボに切り替えて、前記所定のモードが前記連写モードであれば前記電力を前記撮像信号転送手段に切り替えること特徴とする請求項１記載の撮像制御装置。
【請求項３】
前記クロック制御手段は、前記コンデンサの電力が前記撮像信号転送手段に供給されているときには前記クロック信号の周波数を所定の値よりも高速な値に切り替えることを特徴とする請求項１記載の撮像制御装置。
【請求項４】
前記撮像を指示する撮像操作入力を受け付ける撮像操作受付手段と、
前記撮像が指示されたときにのみに前記電力切替手段により切り替えられた電力を前記撮像信号転送手段に供給するよう接続する電力接続手段と
をさらに具備することを特徴とする請求項１記載の撮像制御装置。
【請求項５】
被写体に光を照射するストロボと、
前記被写体からの光を撮像信号として撮像する撮像素子と、
前記撮像信号を保存する画像メモリと、
前記撮像素子によって変換された前記撮像信号を前記画像メモリに対してクロック信号に同期して転送する撮像信号転送手段と、
前記撮像信号の転送に関する所定のモードの操作入力を受け付けるモード操作受付手段と、
電力を蓄積するコンデンサと、
前記コンデンサに蓄積された電力を前記ストロボまたは前記撮像信号転送手段の何れかに前記所定のモードに基づいて切り替える電力切替手段と、
前記電力切替手段による電力の切替に連動して前記撮像信号転送手段の前記クロック信号を制御するクロック制御手段と
を具備することを特徴とする撮像装置。
【請求項６】
被写体に光を照射するストロボと、電力を蓄積するコンデンサと、撮像された前記被写体の撮像信号を画像メモリに対してクロック信号に同期して転送する撮像信号転送手段と、前記コンデンサに蓄積された電力を前記ストロボまたは前記撮像信号転送手段の何れかに切り替える電力切替手段とを備える撮像制御装置の撮像制御方法であって、
前記撮像信号の転送に関する所定のモードの操作入力を受け付けるモード操作受付手順と、
前記操作入力として受け付けられた前記所定のモードが前記撮像を１回ずつ行う単写モードであれば前記電力切替手段によって前記ストロボに前記電力を切り替え、前記所定のモードが前記撮像を連続して行う連写モードであれば前記電力切替手段によって前記撮像信号転送手段に前記電力を切り替える電力切替手順と、
前記電力切替手段による前記電力の切替に連動して前記撮像信号転送手段の前記クロック信号の周波数を所定の値よりも高速な値に切り替えるクロック制御手順と
を具備することを特徴とする撮像制御方法。
【請求項７】
被写体に光を照射するストロボと、電力を蓄積するコンデンサと、撮像された前記被写体の撮像信号を画像メモリに対してクロック信号に同期して転送する撮像信号転送手段と、前記コンデンサに蓄積された電力を前記ストロボまたは前記撮像信号転送手段の何れかに切り替える電力切替手段とを備える撮像制御装置のプログラムであって、
前記撮像信号の転送に関する所定のモードの操作入力を受け付けるモード操作受付手順と、
前記操作入力として受け付けられた前記所定のモードが前記撮像を１回ずつ行う単写モードであれば前記電力切替手段によって前記ストロボに前記電力を切り替え、前記所定のモードが前記撮像を連続して行う連写モードであれば前記電力切替手段によって前記撮像信号転送手段に前記電力を切り替える電力切替手順と、
前記電力切替手段による前記電力の切替に連動して前記撮像信号転送手段の前記クロック信号の周波数を所定の値よりも高速な値に切り替えるクロック制御手順と
をコンピュータに実行させることを特徴とするプログラム。
【発明の詳細な説明】
【技術分野】
【０００１】
本発明は、撮像装置に関し、特にストロボを備える撮像装置、および、これらにおける処理方法ならびに当該方法をコンピュータに実行させるプログラムに関する。
【背景技術】
【０００２】
デジタルスチルカメラ等の撮像装置には、撮像条件に合わせて選択可能な各種の撮像モードが設けられている。この撮像モードの一つとして、撮像指示に対して１回毎に撮像を行う単写モードと時系列に連続して撮像を行う連写モードとを相互に切り替える連写／単写モードがある。通常は単写モードに設定して１枚ずつ撮像を行い、被写体の動きを連続して撮像するときに連写モードに切り替えるという使用形態が想定される。
【０００３】
これら撮像モードは撮像条件によって適時選択されるものであるが、使用状態に応じて最適な撮像モードを自動的に選択する撮像装置も提案されている（例えば、特許文献１参照。）。
【特許文献１】特開２００６−５３３８２号公報（図１）
【発明の開示】
【発明が解決しようとする課題】
【０００４】
上述の従来技術のように、撮像装置には撮像条件に合わせた撮像モードが設けられているが、撮像モードによっては大量の電力消費が行われる場合がある。特に連写時には、撮像素子から出力される撮像信号を画像メモリに対して連続的に転送することになるため、その動作のために大量の電力が集中的に必要になる。
【０００５】
今後は、撮像素子の進歩等に伴って連写速度も向上することが予想され、より多くの電力が使用されることになると予想される。例えば、８Ｍピクセル等の高画素による撮像において、ＣＣＤセンサ（Charge Coupled Devices Sensor）における連写速度は現状３ｆｐｓ（frame per second）程度であるが、将来的にはＣＭＯＳセンサ（Complementary Metal Oxide Semiconductor Sensor）の使用により連写速度が１０ｆｐｓ以上になると予想される。
【０００６】
一方、撮像装置のバッテリから取り出せる電力には制約があり、連写速度が１０ｆｐｓ以上になると例えば１秒毎に２Ｗ程度の電力が必要になり、バッテリの電力が不足する。また、最近の撮像装置においては、小型化が進んでおり、連写モードにおいて必要な電力を供給するために、単純に外部電源や大きなバッテリを取り付けることは現実的ではない。
【０００７】
そこで、本発明は、撮像装置において連写時に必要となる電力を、新たなバッテリを設けることなく供給することを目的とする。
【課題を解決するための手段】
【０００８】
本発明は、上記課題を解決するためになされたものであり、その第１の側面は、被写体に光を照射するストロボと、撮像された上記被写体の撮像信号を画像メモリに対してクロック信号に同期して転送する撮像信号転送手段と、上記撮像信号の転送に関する所定のモードの操作入力を受け付けるモード操作受付手段と、電力を蓄積するコンデンサと、上記コンデンサに蓄積された電力を上記ストロボまたは上記撮像信号転送手段の何れかに上記所定のモードに基づいて切り替える電力切替手段と、上記電力切替手段による電力の切替に連動して上記撮像信号転送手段の上記クロック信号を制御するクロック制御手段とを具備することを特徴とする撮像制御装置である。これにより、所定のモードに基づいて、コンデンサに蓄積された電力を撮像信号転送手段に供給させるという作用をもたらす。
【０００９】
また、この第１の側面において、上記所定のモードは、上記撮像を１回ずつ行う単写モードまたは上記撮像を連続して行う連写モードの何れかであり、上記電力切替手段は、上記所定のモードが上記単写モードであれば上記電力を上記ストロボに切り替えて、上記所定のモードが上記連写モードであれば上記電力を上記撮像信号転送手段に切り替えることを特徴とする。これにより、単写モードであればコンデンサからの電力をストロボに供給させて、連写モードであればコンデンサからの電力を撮像信号転送手段に供給させるという作用をもたらす。
【００１０】
また、この第１の側面において、上記クロック制御手段は、上記コンデンサの電力が上記撮像信号転送手段に供給されているときには上記クロック信号の周波数を所定の値よりも高速な値に切り替えることを特徴とする。これにより、撮像信号転送手段においてコンデンサから電力を供給されている間、撮像信号転送手段の動作を高速にさせるという作用をもたらす。
【００１１】
また、この第１の側面において、上記撮像を指示する撮像操作入力を受け付ける撮像操作受付手段と、上記撮像が指示されたときにのみ上記電力切替手段により切り替えられた電力を上記撮像信号転送手段に供給するよう接続する電力接続手段とをさらに具備することを特徴とする。これにより、撮像信号転送部において電力が多く使用される間のみ、コンデンサからの電力を撮像信号転送部に供給させるという作用をもたらす。
【００１２】
また、本発明の第２の側面は、被写体に光を照射するストロボと、上記被写体からの光を撮像信号として撮像する撮像素子と、上記撮像信号を保存する画像メモリと、上記撮像素子によって変換された上記撮像信号を上記画像メモリに対してクロック信号に同期して転送する撮像信号転送手段と、上記撮像信号の転送に関する所定のモードの操作入力を受け付けるモード操作受付手段と、電力を蓄積するコンデンサと、上記コンデンサに蓄積された電力を上記ストロボまたは上記撮像信号転送手段の何れかに上記所定のモードに基づいて切り替える電力切替手段と、上記電力切替手段による電力の切替に連動して上記撮像信号転送手段の上記クロック信号を制御するクロック制御手段とを具備することを特徴とする撮像装置である。これにより、所定のモードに基づいて、コンデンサに蓄積された電力を撮像信号転送手段に供給させるという作用をもたらす。
【００１３】
また、本発明の第３の側面は、被写体に光を照射するストロボと、電力を蓄積するコンデンサと、撮像された上記被写体の撮像信号を画像メモリに対してクロック信号に同期して転送する撮像信号転送手段と、上記コンデンサに蓄積された電力を上記ストロボまたは上記撮像信号転送手段の何れかに切り替える電力切替手段とを備える撮像制御装置の撮像制御方法であって、上記撮像信号の転送に関する所定のモードの操作入力を受け付けるモード操作受付手順と、上記操作入力として受け付けられた上記所定のモードが上記撮像を１回ずつ行う単写モードであれば上記電力切替手段によって上記ストロボに上記電力を切り替え、上記所定のモードが上記撮像を連続して行う連写モードであれば上記電力切替手段によって上記撮像信号転送手段に上記電力を切り替える電力切替手順と、上記電力切替手段による上記電力の切替に連動して上記撮像信号転送手段の上記クロック信号の周波数を所定の値よりも高速な値に切り替えるクロック制御手順とを具備することを特徴とする撮像制御方法またはこれら手順をコンピュータに実行させることを特徴とするプログラムである。これにより、連写モードにおいてコンデンサからの電力を撮像信号転送手段に供給されている間、撮像信号転送手段の動作を高速にさせるという作用をもたらす。
【発明の効果】
【００１４】
本発明によれば、撮像装置において連写時に必要となる電力を、新たなバッテリを設けることなく供給することができるという優れた効果を奏し得る。
【発明を実施するための最良の形態】
【００１５】
次に本発明の実施の形態について図面を参照して詳細に説明する。
【００１６】
図１は、本発明の実施の形態における撮像装置１００の機能構成例を示すブロック図である。
【００１７】
この撮像装置１００は、レンズ１１０と、撮像素子１２０と、レンズ制御部１３０と、撮像信号転送部１４０と、画像メモリ１５０と、クロック制御部１６０と、バッテリ部１７０と、コンデンサ１８０と、電力切替部１９０と、ＤＣ−ＤＣコンバータ２００と、ノイズフィルタ部２１０と、ストロボ２２０と、カメラ信号処理部２３０と、画像メモリ２４０と、記録媒体装着部２５０と、表示制御部２６０と、表示部２７０と、ＣＰＵ（Central Processing Unit）２８０と、ＲＡＭ（Random Access Memory）２９０と、モード操作受付部３００と、撮像操作受付部３１０とを備える。
【００１８】
レンズ１１０は、被写体の光を集光して、被写体の光学画像を撮像素子１２０上に形成するものである。また、レンズ１１０は、レンズ制御部１３０からの制御に基づいて、焦点調整等の動作を行うとともに、レンズ１１０の動作状態をレンズ制御部１３０に出力する。
【００１９】
撮像素子１２０は、ＣＭＯＳセンサ等により構成されるものであり、レンズ１１０によって形成された光学画像を電気信号に変換し、撮像信号として出力するものである。
【００２０】
レンズ制御部１３０は、撮像信号転送部１４０からの制御およびレンズ１１０の動作状態に基づいて、レンズ１１０の制御を行うものである。
【００２１】
撮像信号転送部１４０は、撮像素子１２０から出力された撮像信号を画像メモリ１５０に転送するものである。また、撮像信号転送部１４０は、撮像モードに合致した撮像信号を得るために、レンズ制御部１３０や、ストロボ２２０の制御を行う。また、撮像信号転送部１４０は、画像メモリ１５０に一時的に保持された撮像信号をカメラ信号処理部２３０に転送する。
【００２２】
画像メモリ１５０は、撮像信号転送部１４０から転送された撮像信号を一時的に保持し、撮像信号を所定のタイミングで撮像信号転送部１４０に出力するものである。
【００２３】
クロック制御部１６０は、ＣＰＵ２８０からの制御に基づいて、撮像信号転送部１４０等の各部にクロック信号を供給するものである。
【００２４】
バッテリ部１７０は、トランス等で昇圧した電源電圧をコンデンサ１８０に印加するものである。また、バッテリ部１７０は、ノイズフィルタ部２１０を介して撮像信号転送部１４０など、撮像装置の各部に電力を供給する。
【００２５】
コンデンサ１８０は、バッテリ部１７０からの昇圧された電源電圧を印加されることにより、ストロボ２２０で使用される電力を蓄積するものである。このコンデンサ１８０はストロボ２２０における使用を想定しているため、定格電圧は通常３００Ｖ程度と高圧になっている。なお、この電力は、単写モード時にはストロボ２２０の電力として使用されるが、連写モード時にはＤＣ−ＤＣコンバータ２００によって電圧が降圧されて撮像信号転送部１４０の電力としても使用される。
【００２６】
なお、コンデンサ１８０の静電容量Ｃを５０μＦに、バッテリ部１７０からコンデンサ１８０に印加される電圧Ｖを３００Ｖに想定したときの電力量は、１／２ＣＶ２＝２．２５［Ｗｓ］となる。そのため、コンデンサ１８０は１秒毎に２．２５Ｗの電力を撮像信号転送部１４０に供給することができることが分かる。
【００２７】
電力切替部１９０は、モード操作受付部３００のモード操作入力に基づいて、ＤＣ−ＤＣコンバータ２００またはストロボ２２０の何れかにコンデンサ１８０の電力を切り替えるものである。すなわち、この電力切替部１９０は、コンデンサ１８０の電力を、単写モード時にはストロボ２２０に切り替え、連写モード時にはＤＣ−ＤＣコンバータ２００に切り替える。なお、この切替信号はＣＰＵ２８０から供給される。
【００２８】
ストロボ２２０は、被写体に光を照射するために発光するものである。この発光の際、ストロボ２２０は、コンデンサ１８０に蓄積された電力を利用する。
【００２９】
ＤＣ−ＤＣコンバータ２００は、コンデンサ１８０の電力を撮像信号転送部１４０において使用できる電圧にまで降圧するものである。上述のように、コンデンサ１８０はストロボ２２０における使用を想定しているため、定格電圧が高圧だからである。
【００３０】
ノイズフィルタ部２１０は、バッテリ部１７０から供給される電力に発生するノイズをＬＣフィルタ回路等によって除去するものある。このノイズは、電力切替部１９０の切替動作時に、より多く発生することが知られている。これにより、ノイズフィルタ部２１０は、ノイズの除去を行った電力を撮像信号転送部１４０に供給する。
【００３１】
カメラ信号処理部２３０は、撮像信号転送部１４０から供給された撮像信号に対して適正な信号処理を施して、画像メモリ２４０や、記録媒体装着部２５０や、表示制御部２６０に撮像信号を出力するものである。また、カメラ信号処理部２３０は、画像メモリ２４０または記録媒体装着部２５０から出力された撮像信号を表示制御部２６０に供給する。
【００３２】
画像メモリ２４０は、カメラ信号処理部２３０によって出力された撮像信号を一時的に保時し、撮像信号を所定のタイミングでカメラ信号処理部２３０に出力するものである。
【００３３】
記録媒体装着部２５０は、メモリカード、ＤＶ（Digital Video）またはＤＶＤ（Digital Versatile Disk）等の記録媒体を装着するものである。また、記録媒体装着部２５０は、装着された記憶媒体にカメラ信号処理部２３０から出力された撮像信号を保存する。また、記録媒体装着部２５０は、記録媒体に保存された撮像信号をカメラ信号処理部２３０に出力する。
【００３４】
表示制御部２６０は、カメラ信号処理部２３０から出力された撮像信号に対して、ガンマ補正やコントラスト補正等の信号処理を施して、表示部２７０に画像信号を出力するものである。
【００３５】
表示部２７０は、表示制御部２６０から出力された画像信号に基づいて、液晶モニタ等に画像を表示するものである。
【００３６】
ＣＰＵ２８０は、ＲＡＭ２９０に保存されている制御プログラムを実行して、撮像信号転送部１４０や、クロック制御部１６０や、カメラ信号処理部２３０や、電力切替部１９０等の各部を制御するものである。
【００３７】
ＲＡＭ２９０は、ＣＰＵ２８０が実行する各種制御プログラムや作業データを保持するものである。
【００３８】
モード操作受付部３００は、切替スイッチやタッチパネル等から構成され、使用する撮像モードのモード操作入力を受け付けるものである。
【００３９】
撮像操作受付部３１０は、撮像操作の指示を受け付けるものであり、例えばシャッターボタンにより実現される。モード操作受付部３００により受け付けられているモード操作が単写モードを示している場合には、撮像操作入力（例えばシャッターボタンの押下）がされると１枚の撮像画像が得られる。一方、モード操作受付部３００により受け付けられているモード操作が連写モードを示している場合には、撮像操作入力がされると時系列に連続した複数の撮像画像が得られる。なお、連写動作としては、１回のシャッターボタン押下によって予め設定された回数の撮像を行うものや、シャッターボタンが押下され続けている間のみ撮像を行うものが考えられる。
【００４０】
次に本発明の実施の形態における連写／単写モードの切替動作について図面を参照して説明する。
【００４１】
図２は、本発明の実施の形態における単写モード時または連写モード時の電力切替部１９０の状態を示すブロック図である。
【００４２】
図２（ａ）は、単写モード時の電力切替部１９０の状態を示している。この状態において、コンデンサ１８０は、バッテリ部１７０から電源電圧を印加されるため、電力が蓄積される。また、電力切替部１９０は、コンデンサ１８０の電力をストロボ２２０側に切り替えている。その結果、ストロボ２２０を発光させる電力として、コンデンサ１８０に蓄積された電力が供給される。
【００４３】
図２（ｂ）は、連写モード時の電力切替部１９０の状態を示している。この状態において、コンデンサ１８０は、バッテリ部１７０から昇圧した電源電圧を印加されるために電力が蓄積される。また、電力切替部１９０は、コンデンサ１８０の電力をＤＣ−ＤＣコンバータ２００側に切り替えている。しかし、コンデンサ１８０に蓄積された電力は、電圧が昇圧されており、そのまま撮像信号転送部１４０の電力として使用することができない。そのため、ＤＣ−ＤＣコンバータ２００によって電圧の降圧がなされた電力が、撮像信号転送部１４０に供給される。
【００４４】
このように、コンデンサ１８０に蓄えられた電力は、単写モード時にはストロボ２２０に供給され、連写モード時にはＤＣ−ＤＣコンバータ２００によって電圧の降圧がなされて撮像信号転送部１４０に供給される。
【００４５】
次に本発明の実施の形態における、連写モードに切り替える動作について、図面を参照して説明する。
【００４６】
図３は、本発明の実施の形態における撮像装置１００の処理手順例を示すフローチャートである。
【００４７】
最初に、モード操作受付部３００によって受け付けられたモード操作入力が連写モードであるか否かが、ＣＰＵ２８０において判断される（ステップＳ９１１）。その際、モード操作受付部３００によって受け付けられたモード操作入力が連写モードではなかった場合には、連写モードになるまで待機される（ステップＳ９１１）。
【００４８】
一方、モード操作受付部３００によって受け付けられたモード操作入力が連写モードであった場合には、電力切替部１９０はコンデンサ１８０からの電力をＤＣ−ＤＣコンバータ２００側に切り替える（ステップＳ９１２）。これにより、コンデンサ１８０からの電力は、ＤＣ−ＤＣコンバータ２００によって電圧が降圧されて、撮像信号転送部１４０に供給される。
【００４９】
次に、クロック制御部１６０は撮像信号転送部１４０に供給するクロック周波数を、それまでよりも高速になるよう切り替える（ステップＳ９１３）。
【００５０】
続いて、時系列に連続して撮像する連写動作を行う（ステップＳ９１６）。この連写動作に連動して、撮像によって撮像素子１２０から出力された撮像信号は、撮像信号転送部１４０によって画像メモリ１５０に転送される（ステップＳ９１７）。
【００５１】
次に、モード操作受付部３００によって受け付けられたモード操作入力によって、連写モードが終了したか否かが判断される（ステップＳ９２１）。その際、連写モードが終了していない場合には、ステップＳ９１６に進み、上述の動作を繰り返す（ステップＳ９１６〜Ｓ９２１）。
【００５２】
一方、連写モードが終了した場合には、クロック制御部１６０は撮像信号転送部１４０に供給するクロック周波数を元の速度（高速ではない通常の速度）に戻す（ステップＳ９２２）。
【００５３】
続いて、電力切替部１９０はコンデンサ１８０からの電力をストロボ２２０側に切り替える。（ステップＳ９２３）。これにより、コンデンサ１８０からの電力はストロボ２２０に供給されるようになる。
【００５４】
このように、本発明の実施の形態によれば、撮像装置１００に電力切替部１９０を備えることで、単写モード時にストロボ２２０で使用されるコンデンサ１８０の電力を、連写モード時には撮像信号転送部１４０の電力として供給することができる。そのため、撮像装置１００において連写時に必要となる電力を、新たなバッテリを設けることなくコンデンサ１８０の電力によって供給することができる。
【００５５】
次に本発明の実施の形態の変形例について図面を参照して詳細に説明する。
【００５６】
図４は、本発明の実施の形態の変形例における撮像装置１００の機能構成例を示すブロック図である。この変形例の構成は、図１の実施の形態の構成において電力接続／切断部３２０をさらに備えたものである。
【００５７】
電力接続／切断部３２０は、電力切替部１９０によってＤＣ−ＤＣコンバータ２００側に切り替えられた電力の接続と切断を行うものである。この接続と切断によって、電力接続／切断部３２０は、連写動作する間に限って、ＤＣ−ＤＣコンバータ２００にコンデンサ１８０からの電力を供給する。
【００５８】
なお、電力接続／切断部３２０以外の構成については、上述の実施の形態と同様であるため、説明を省略する。
【００５９】
本発明の実施の形態の変形例によれば、連写モード時に電力接続／切断部３２０によって接続と切断を行うことにより、連写動作する間に限って、電力切替部１９０によって切り替えられたコンデンサ１８０からの電力を撮像信号転送部１４０に供給することができる。
【００６０】
図５は、本発明の実施の形態の変形例における単写モード時の電力接続／切断部３２０の状態を示すブロック図である。この変形例の構成は、図２（ａ）の実施の形態の構成において電力接続／切断部３２０をさらに備えたものである。
【００６１】
この状態において、電力切替部１９０は、ストロボ２２０側にコンデンサ１８０の電力を切り替えている。そのため、ＤＣ−ＤＣコンバータ２００側には、コンデンサ１８０からの電力は供給されない。その結果、電力接続／切断部３２０の動作に関係なく、コンデンサ１８０は、バッテリ部１７０からの昇圧された電源電圧を印加されるため、電力が蓄積されている。このコンデンサ１８０に蓄積された電力は、ストロボ２２０を発光させる電力として使用される。
【００６２】
図６は、本発明の実施の形態の変形例における連写モード時の電力接続／切断部３２０の状態を示すブロック図である。この状態において、電力切替部１９０は、コンデンサ１８０からの電力をＤＣ−ＤＣコンバータ２００側に切り替えている。これにより、コンデンサ１８０は、単写モード時にバッテリ部１７０からの昇圧された電源電圧を印加され、電力が蓄積される。
【００６３】
図６（ａ）は、撮像操作入力に基づいて連写動作する間の電力接続／切断部３２０の状態を示している。
【００６４】
この状態において、コンデンサ１８０の電力は、電力接続／切断部３２０が接続されているため、ＤＣ−ＤＣコンバータ２００に供給される。その結果、ＤＣ−ＤＣコンバータ２００は、コンデンサ１８０からの電力を撮像信号転送部１４０において使用できる電圧にまで降圧して、撮像信号転送部１４０に供給する。
【００６５】
図６（ｂ）は、撮像操作入力に基づいて連写動作しない間の電力接続／切断部３２０の状態を示している。この状態において、コンデンサ１８０は、単写モード時にバッテリ部１７０からの昇圧された電源電圧が印加されていたため、電力が蓄積されている。しかし、電力接続／切断部３２０が、コンデンサ１８０とＤＣ−ＤＣコンバータ２００との間を切断しているため、コンデンサ１８０の電力は、ＤＣ−ＤＣコンバータ２００に供給されない。
【００６６】
本発明の実施の形態の変形例によれば、電力接続／切断部３２０を設けたことにより、撮像信号転送部１４０は、最も電力が使用される連写動作時にのみコンデンサ１８０からの電力を使用する。そのため、コンデンサ１８０に蓄積された電力の消費を抑えることができる。
【００６７】
図７は、本発明の実施の形態の変形例における撮像装置１００の処理手順例を示すフローチャートである。この変形例のフローチャートは、図３の実施の形態のフローチャートにおいて、撮像操作入力があるか否かを判断するステップ（ステップＳ９３４）と、電力接続／切断部３２０の接続を行うステップ（ステップＳ９３５）と、電力接続／切断部３２０の切断を行うステップ（ステップＳ９３９）とをさらに備えたものである。
【００６８】
最初に、モード操作受付部３００によって受け付けられたモード操作入力が連写モードであるか否かが、ＣＰＵ２８０において判断される（ステップＳ９３１）。その際、モード操作受付部３００によって受け付けられたモード操作入力が連写モードではなかった場合には、連写モードになるまで待機される（ステップＳ９３１）。
【００６９】
一方、モード操作受付部３００によって受け付けられたモード操作入力が連写モードであった場合には、電力切替部１９０はコンデンサ１８０からの電力をＤＣ−ＤＣコンバータ２００側に切り替える（ステップＳ９３２）。その際、電力接続／切断部３２０がコンデンサ１８０からの電力を切断しているため、コンデンサ１８０からの電力は、ＤＣ−ＤＣコンバータ２００に供給されない。
【００７０】
次に、クロック制御部１６０は撮像信号転送部１４０に供給するクロック周波数を、それまでよりも高速になるよう切り替える（ステップＳ９３３）。
【００７１】
続いて、撮像操作受付部３１０によって撮像操作入力を受け付けているか否かが判断される（ステップＳ９３４）。その際、撮像操作受付部３１０によって撮像操作入力を受け付けていない場合は、連写モードが終了しているか否かが判断される（ステップＳ９４１）。
【００７２】
一方、撮像操作受付部３１０によって撮像操作入力を受け付けている場合は、電力接続／切断部３２０の接続を行う（ステップＳ９３５）。これにより、コンデンサ１８０からの電力は、ＤＣ−ＤＣコンバータ２００によって電圧が降圧されて、撮像信号転送部１４０に供給される。
【００７３】
続いて、時系列に連続して撮像する連写動作を行う（ステップＳ９３６）。この連写動作に連動して、撮像によって撮像素子１２０から出力された撮像信号は、撮像信号転送部１４０によって画像メモリ１５０に転送される（ステップＳ９３７）。
【００７４】
次に、撮像操作受付部３１０によって受け付けられた撮像操作入力によって、連写動作が終了したか否かが判断される（ステップＳ９３８）。その際、連写動作が終了していない場合には、ステップＳ９３６に進み、上述の動作を繰り返す（ステップＳ９３６〜Ｓ９３８）。
【００７５】
一方、連写動作が終了した場合には、電力接続／切断部３２０の切断を行う（ステップＳ９３９）。これにより、コンデンサ１８０からの電力は、ＤＣ−ＤＣコンバータ２００に供給されなくなる。
【００７６】
次に、モード操作受付部３００によって受け付けられたモード操作入力によって、連写モードが終了したか否かが判断される（ステップＳ９４１）。その際、連写モードが終了していない場合には、ステップＳ９３４に進み、上述の動作を繰り返す（ステップＳ９３４〜Ｓ９４１）。
【００７７】
一方、連写モードが終了した場合には、クロック制御部１６０は撮像信号転送部１４０に供給するクロック周波数を通常の速度に戻す（ステップＳ９４２）。
【００７８】
続いて、電力切替部１９０はコンデンサ１８０からの電力をストロボ２２０側に切り替える。（ステップＳ９４３）。これにより、コンデンサ１８０からの電力はストロボ２２０に供給されるようになる。
【００７９】
このように、本発明の実施の形態の変形例によれば、連写動作が実際に行われる時のみ、電力接続／切断部３２０によってコンデンサ１８０からの電力を供給するため、連写モード時に撮像信号転送部１４０によって使用されるコンデンサ１８０の電力の消費を少なくすることができる。これにより、撮像装置１００は、コンデンサ１８０の電力の消費を抑えて、連写動作の回数をより多くすることができる。さらに、撮像装置１００は、連写モードに切り替えてから時間が経過しても、安定した連写動作を行うことができる。
【００８０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８１】
すなわち、請求項１において、ストロボは例えばストロボ２２０に対応する。また、撮像信号転送手段は例えば撮像信号転送部１４０に対応する。また、モード操作受付手段は例えばモード操作受付部３００に対応する。また、コンデンサは例えばコンデンサ１８０に対応する。また、電力切替手段は、例えば電力切替部１９０に対応する。また、クロック制御手段は、例えばクロック制御部１６０に対応する。
【００８２】
また、請求項４において、撮像操作受付手段は例えば撮像操作受付部３１０に対応する。また、電力接続手段は、例えば電力接続／切断部３２０に対応する。
【００８３】
また、請求項５において、ストロボは例えばストロボ２２０に対応する。また、撮像素子は、例えば撮像素子１２０に対応する。また、画像メモリは例えば画像メモリ１５０に対応する。また、撮像信号転送手段は例えば撮像信号転送部１４０に対応する。また、モード操作受付手段は例えばモード操作受付部３００に対応する。また、コンデンサは例えばコンデンサ１８０に対応する。また、電力切替手段は、例えば電力切替部１９０に対応する。また、クロック制御手段は、例えばクロック制御部１６０に対応する。
【００８４】
また、請求項６または７において、ストロボは例えばストロボ２２０に対応する。また、コンデンサは例えばコンデンサ１８０に対応する。また、撮像信号転送手段は例えば撮像信号転送部１４０に対応する。また、電力切替手段は、例えば電力切替部１９０に対応する。また、モード操作受付手順は例えばステップＳ９１１またはＳ９３１に対応する。また、電力切替手順は例えばステップＳ９１２、Ｓ９２３、Ｓ９３２またはＳ９４３に対応する。また、クロック制御手順は例えばステップＳ９１３またはＳ９３３に対応する。
【００８５】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００８６】
【図１】本発明の実施の形態における撮像装置１００の機能構成例を示すブロック図である。
【図２】本発明の実施の形態における単写モード時または連写モード時の電力切替部１９０の状態を示すブロック図である。
【図３】本発明の実施の形態における撮像装置１００の処理手順例を示すフローチャートである。
【図４】本発明の実施の形態の変形例における撮像装置１００の機能構成例を示すブロック図である。
【図５】本発明の実施の形態の変形例における単写モード時の電力接続／切断部３２０の状態を示すブロック図である。
【図６】本発明の実施の形態の変形例における連写モード時の電力接続／切断部３２０の状態を示すブロック図である。
【図７】本発明の実施の形態の変形例における撮像装置１００の処理手順例を示すフローチャートである。
【符号の説明】
【００８７】
１００  撮像装置
１１０  レンズ
１２０  撮像素子
１３０  レンズ制御部
１４０  撮像信号転送部
１５０  画像メモリ
１６０  クロック制御部
１７０  バッテリ部
１８０  コンデンサ
１９０  電力切替部
２００  ＤＣ−ＤＣコンバータ
２１０  ノイズフィルタ部
２２０  ストロボ
２３０  カメラ信号処理部
２４０  画像メモリ
２５０  記録媒体装着部
２６０  表示制御部
２７０  表示部
２８０  ＣＰＵ
２９０  ＲＡＭ
３００  モード操作受付部
３１０  撮像操作受付部
３２０  電力接続／切断部
【図１】
2008131368.tif 000003
【図２】
2008131368.tif 000004
【図３】
2008131368.tif 000005
【図４】
2008131368.tif 000006
【図５】
2008131368.tif 000007
【図６】
2008131368.tif 000008
【図７】
2008131368.tif 000009